(57)【要約】【課題】熱抵抗が小さく、かつ組立て工数が少ない駆動モジュールを提供する。【解決手段】画像表示パネルの電極を駆動するＩＣチップ６０をフレキシブル配線基板５２に搭載した画像表示パネル用の駆動モジュール５０であって、ＩＣチップ６０の少なくとも一方の面およびＩＣチップの周囲のフレキシブル配線基板５２の面を熱伝導性樹脂で覆って放熱層６４を形成し、且つその表面を露出させたことを特徴とする。【選択図】図５Ｃ
2013088445.tif 000002
【特許請求の範囲】
【請求項１】
画像表示パネルの電極を駆動するＩＣチップをフレキシブル配線基板に搭載した画像表示パネル用の駆動モジュールであって、
前記ＩＣチップの少なくとも一方の面および前記ＩＣチップの周囲のフレキシブル配線基板の面を熱伝導性樹脂で覆って放熱層を形成し、且つその表面を露出させたことを特徴とする画像表示パネル用の駆動モジュール。
【請求項２】
前記フレキシブル配線基板の前記放熱層を形成しない領域に、スリット状の通風孔を設けたことを特徴とする請求項１に記載の画像表示パネル用の駆動モジュール。
【請求項３】
前記熱伝導性樹脂は熱伝導フィラーを分散したシリコン樹脂であることを特徴とする請求項１に記載の画像表示パネル用の駆動モジュール。
【請求項４】
画像表示パネルと、請求項１に記載の駆動モジュールと、前記駆動モジュールに信号および電力を供給する回路基板と、前記画像表示パネルおよび前記回路基板を保持するシャーシとを備えた画像表示装置であって、
前記駆動モジュールを、前記画像表示パネルの電極と前記回路基板とに接続するとともに、前記シャーシとの間に所定の間隔をあけて実装したことを特徴とする画像表示装置。
【発明の詳細な説明】
【技術分野】
【０００１】
本発明は、プラズマディスプレイパネル等の画像表示パネル用の駆動モジュール、およびそれを用いた画像表示装置に関する。
【背景技術】
【０００２】
画像表示パネルとして代表的なプラズマディスプレイパネル（以下、単に「パネル」と略記する）を用いたプラズマディスプレイ装置は、視野角が広く大画面化が容易であり、かつ自発光型であり画像表示品質が高いこと等から大画面画像表示装置の主流となっている。
【０００３】
パネルは、対向配置された前面基板と背面基板との間に多数の放電セルが形成されている。前面基板上には、１対の走査電極と維持電極とからなる表示電極対が互いに平行に複数対形成され、それら表示電極対を覆うように誘電体層および保護層が形成されている。背面基板上には、複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。そして、表示電極対とデータ電極とが立体交差するように前面基板と背面基板とが対向配置されて密封され、内部の放電空間には、例えばキセノンを含む放電ガスが封入されている。ここで表示電極対とデータ電極との対向する部分に放電セルが形成される。
【０００４】
このようなパネルを用いてプラズマディスプレイ装置を構成するために、パネルには、各電極に駆動電圧を印加するためのフレキシブル配線基板（以下、「ＦＰＣ」と略記する）が接続される。特にデータ電極に駆動電圧を印加するためのデータ電極用ＦＰＣには、データ電極のそれぞれを駆動するためのデータ電極駆動用ＩＣチップ（以下、単に「ＩＣチップ」と略記する）が搭載されている。このように電極を駆動する機能を備えたものを画像表示パネル用の駆動モジュール（以下、単に「駆動モジュール」と略記する）と呼ぶ。データ電極用の駆動モジュールには、ＩＣチップの出力とデータ電極とを接続するための出力端子、およびＩＣチップの入力と駆動回路部分とを接続するための入力端子が形成されており、出力端子はパネルのデータ電極の電極引出部のそれぞれに異方導電性接着材等を介して電気的に接続される。
【０００５】
ここで、データ電極を駆動するＩＣチップは温度が高くなるので、熱抵抗が十分小さくなるように考慮して実装する必要がある。そこで、このＩＣチップを搭載した駆動モジュールとして、放熱のための放熱板を取付けた構造が開示されている。そしてその放熱板にはＩＣチップが嵌り込む凹部が設けられており、かつその凹部に熱伝導性部材を充填することにより小さな熱抵抗を実現することができる（例えば、特許文献１参照）。
【先行技術文献】
【特許文献】
【０００６】
【特許文献１】特開２００５−３３８７０６号公報
【発明の概要】
【発明が解決しようとする課題】
【０００７】
しかしながら、このような構成の駆動モジュールを用いても、使用している間にＩＣチップと放熱板との間に剥離が発生し、熱抵抗が大きくなるといった課題があった。加えて、放熱板の加工や放熱板をＦＰＣに取り付ける組立て工数の増加、さらには駆動モジュールをシャーシに取り付ける工数の増加等、コストアップの要因にもなっていた。
【０００８】
本発明はこのような課題に鑑みなされたもので、熱抵抗が小さく、かつ組立て工数が少ない駆動モジュール、およびそれを用いた画像表示装置を提供することを目的とする。
【課題を解決するための手段】
【０００９】
上記目的を達成するために本発明は、画像表示パネルの電極を駆動するＩＣチップをフレキシブル配線基板に搭載した画像表示パネル用の駆動モジュールであって、ＩＣチップの少なくとも一方の面およびＩＣチップの周囲のフレキシブル配線基板の面を熱伝導性樹脂で覆って放熱層を形成し、且つその表面を露出させたことを特徴とする。この構成により、熱抵抗が小さく、かつ組立て工数が少ない駆動モジュールを提供することができる。
【００１０】
また本発明の駆動モジュールのフレキシブル配線基板の放熱層を形成しない領域に、スリット状の通風孔を設けてもよい。
【００１１】
また本発明の駆動モジュールの熱伝導性樹脂は熱伝導フィラーを分散したシリコン樹脂であってもよい。
【００１２】
また本発明は、画像表示パネルと、上記記載の駆動モジュールと、駆動モジュールに信号および電力を供給する回路基板と、画像表示パネルおよび回路基板を保持するシャーシとを備えた画像表示装置であって、駆動モジュールを、画像表示パネルの電極と回路基板とに接続するとともに、シャーシとの間に所定の間隔をあけて実装したことを特徴とする。この構成により、熱抵抗が小さく、かつ組立て工数が少ない駆動モジュールを備えた画像表示装置を提供することができる。
【発明の効果】
【００１３】
本発明によれば、熱抵抗が小さく、かつ組立て工数が少ない駆動モジュール、およびそれを用いた画像表示装置を提供することが可能となる。
【図面の簡単な説明】
【００１４】
【図１】本発明の実施の形態におけるプラズマディスプレイ装置のパネルの分解斜視図である。
【図２】同プラズマディスプレイ装置のパネルの電極配列図である。
【図３Ａ】同プラズマディスプレイ装置のパネルの外観の模式図である。
【図３Ｂ】同プラズマディスプレイ装置のパネルの外観の模式図である。
【図４Ａ】同プラズマディスプレイ装置の駆動モジュールの詳細図である。
【図４Ｂ】同プラズマディスプレイ装置の駆動モジュールの詳細図である。
【図５Ａ】同プラズマディスプレイ装置の駆動モジュールの平面図である。
【図５Ｂ】同プラズマディスプレイ装置の駆動モジュールの側面図である。
【図５Ｃ】同プラズマディスプレイ装置の駆動モジュールの分解斜視図である。
【図５Ｄ】同プラズマディスプレイ装置の駆動モジュールの断面図である。
【図６】同プラズマディスプレイ装置の構造を示す分解斜視図である。
【図７Ａ】同プラズマディスプレイ装置の駆動モジュールの実装の様子を示す図である。
【図７Ｂ】同プラズマディスプレイ装置の駆動モジュールの実装の様子を示す図である。
【発明を実施するための形態】
【００１５】
以下、本発明の一実施の形態における画像表示装置として、プラズマディスプレイパネルを用いたプラズマディスプレイ装置を例に、図面を用いて説明する。
【００１６】
（実施の形態）
図１は、本発明の実施の形態におけるプラズマディスプレイ装置のパネル１０の分解斜視図である。パネル１０は、ガラス製の前面基板２１と背面基板３１とを対向配置して、その間に放電空間を形成するように構成されている。前面基板２１上には表示電極対を構成する走査電極２２と維持電極２３とが互いに平行に対をなして複数形成されている。そして、走査電極２２および維持電極２３を覆うように誘電体層２４が形成され、誘電体層２４上には保護層２５が形成されている。また、背面基板３１上には複数のデータ電極３２が形成され、そのデータ電極３２を覆うように誘電体層３３が形成されている。誘電体層３３上には井桁状の隔壁３４が設けられている。また、誘電体層３３の表面および隔壁３４の側面に蛍光体層３５が設けられている。そして、走査電極２２および維持電極２３とデータ電極３２とが交差する方向に前面基板２１と背面基板３１とを対向配置しており、その間に形成される放電空間には、放電ガスとして、例えばネオンとキセノンの混合ガスが封入されている。なお、パネル１０の構造は上述したものに限られるわけではなく、例えばストライプ状の隔壁を備えたものであってもよい。
【００１７】
図２は、本発明の実施の形態におけるプラズマディスプレイ装置のパネル１０の電極配列図である。行方向に長いｎ本の走査電極２２およびｎ本の維持電極２３が配列され、列方向に長いｍ本のデータ電極３２が配列されている。そして、１対の走査電極２２および維持電極２３と１つのデータ電極３２とが交差した部分に放電セルが形成され、放電セルは放電空間内にｍ×ｎ個形成されている。
【００１８】
図３Ａおよび図３Ｂは、本発明の実施の形態におけるプラズマディスプレイ装置のパネル１０の外観の模式図であり、図３Ａはパネル１０を背面基板３１側から見た図であり、図３Ｂは前面基板２１側から見た図である。
【００１９】
パネル１０の前面基板２１および背面基板３１は矩形状であり長辺と短辺を有している。図３Ａに示すように、前面基板２１の短辺右側には走査電極用の電極引出部４２が形成されている。電極引出部４２のそれぞれはｎ本の走査電極２２のそれぞれに接続されている。また、前面基板２１の短辺左側には維持電極用の電極引出部４３が形成されている。電極引出部４３のそれぞれはｎ本の維持電極２３のそれぞれに接続されている。この電極引出部４２、４３はそれぞれ複数のブロックに分かれており、各々のブロックには走査電極用ＦＰＣおよび維持電極用ＦＰＣが接続される。また図３Ｂに示すように、背面基板３１の長辺下側にはデータ電極用の電極引出部４４が形成されている。電極引出部４４のそれぞれはｍ本のデータ電極３２のそれぞれに接続されている。この電極引出部４４も複数のブロックに分かれており、各々のブロックにはデータ電極３２を駆動するための駆動モジュール５０が接続される。
【００２０】
図４Ａおよび図４Ｂは、本発明の実施の形態におけるプラズマディスプレイ装置の駆動モジュール５０の詳細図であり、図４Ａは駆動モジュール５０を一方の面から見た図であり、図４Ｂは駆動モジュール５０を他方の面から見た図である。
【００２１】
駆動モジュール５０は、フレキシブルな屈曲性を有するポリイミド樹脂フィルム等からなるＦＰＣ５２にデータ電極３２を駆動するためのＩＣチップがフェースアップ実装されている。そして図４Ａに示すように、ＩＣチップの素子面側を覆うようにエポキシ樹脂等の封止樹脂６２を充填し、機械的なダメージからＩＣチップを保護している。また図４Ｂに示すように、ＩＣチップの基板面側には、ＩＣチップの放熱のための放熱層６４を形成している。放熱層６４は、ＩＣチップおよびその周囲のＦＰＣ５２の広い領域に熱伝導性樹脂を塗布し硬化させて形成している。そして放熱層６４には放熱板等を取り付けることなく、その表面を露出させている。
【００２２】
ＦＰＣ５２の一方にはＩＣチップの出力に接続された複数の出力端子５６が形成されている。この出力端子５６は、パネル１０のデータ電極用の電極引出部４４のそれぞれに異方導電性接着材等を用いて接続するためのものである。ＦＰＣ５２のもう一方にはＩＣチップの入力に接続された入力端子５８が形成されている。この入力端子５８は、駆動モジュール５０に信号および電力を供給する回路基板に接続するためのものである。さらに本実施の形態の駆動モジュール５０においては、駆動モジュール５０を実装した時に通風路を形成するために、ＦＰＣ５２の放熱層６４を形成しない領域にスリット状の通風孔５４を設けている。
【００２３】
図５Ａ〜図５Ｄは、本発明の実施の形態におけるプラズマディスプレイ装置の駆動モジュール５０の詳細を示す図であり、図５Ａは平面図、図５Ｂは側面図、図５Ｃは分解斜視図、図５ＤはＩＣチップ６０を含む面における断面図である。
【００２４】
ＩＣチップ６０の寸法は、例えば１（ｍｍ）×１２（ｍｍ）であり、素子面側には入出力端子としてＡｕ等からなる突起電極が設けられている。そしてその突起電極をＦＰＣ５２の開口部５３に露出した配線部分に共晶接続することにより実装されている。ＩＣチップ６０の素子面側を覆う封止樹脂６２の寸法は、例えば３（ｍｍ）×１５（ｍｍ）である。
【００２５】
また、ＩＣチップ６０の基板面側を覆う放熱層６４は、上述したように熱伝導性樹脂を塗布し硬化させて形成されている。本実施の形態における熱伝導性樹脂は、熱伝導フィラーを分散したシリコン樹脂である。このような熱伝導性のシリコン樹脂は、例えば常温硬化型または熱硬化型のシリコン樹脂を主材料とし、熱伝導フィラー材料として、Ａｌ２Ｏ３とＳｉＯ２とが分散されており、熱伝導率が、例えば０．２〜５（Ｗ／ｍ・Ｋ）である。そして放熱層６４の寸法は、例えば面積が８（ｍｍ）×３０（ｍｍ）であり、厚みが、１．３（ｍｍ）である。
【００２６】
このように本実施の形態における駆動モジュール５０は、パネル１０のデータ電極３２を駆動するＩＣチップ６０をＦＰＣ５２に搭載し、ＩＣチップ６０の少なくとも一方の面およびＩＣチップ６０の周囲のＦＰＣ５２の面を熱伝導性樹脂で覆って放熱層６４を形成し、且つその表面を露出させている。すなわち従来の放熱板の代りに、ＩＣチップ６０の一方の面およびＦＰＣ５２の面に熱伝導性のシリコン樹脂による放熱層６４を形成している。これにより、駆動モジュール５０の組立て工数およびコストを大幅に削減することができる。
【００２７】
図６は、本発明の実施の形態におけるプラズマディスプレイ装置８０の構造を示す分解斜視図である。プラズマディスプレイ装置８０は、駆動モジュール５０を接続したパネル１０と、シャーシ８１と、熱伝導シート８２と、電源回路、走査電極駆動回路、維持電極駆動回路、タイミング発生回路等、パネル１０を駆動するための回路を搭載した回路基板群８３と、これらを収納する前面枠８４およびバックカバー８５とを備えている。
【００２８】
パネル１０の短辺側に設けられた走査電極用の電極引出部および維持電極用の電極引出部には、それぞれ走査電極用フレキシブル基板および維持電極用フレキシブル基板が接続されている。またパネル１０の長辺下側に設けられたデータ電極用の電極引出部４４には駆動モジュール５０の出力端子５６が接続されている。
【００２９】
熱伝導シート８２は、パネル１０をシャーシ８１に接着するとともに、パネル１０で発生した熱をシャーシ８１に逃がすために設けられている。シャーシ８１は、一方の面で熱伝導シート８２を介してパネル１０を保持するとともに、他方の面には回路基板群８３の各回路基板が取り付けられている。
【００３０】
図６には、回路基板群８３のうち、駆動モジュール５０に信号および電力を供給する回路を実装した回路基板９０を明示している。回路基板９０には、駆動モジュール５０の入力端子５８を接続するためのコネクタ９２が複数設けられている。
【００３１】
図７Ａおよび図７Ｂは、本発明の実施の形態におけるプラズマディスプレイ装置８０の駆動モジュール５０の実装の様子を示す図であり、図７Ａはバックカバー８５側から見た拡大図、図７Ｂは、図７ＡのＡ−Ａ線に沿った断面図である。パネル１０のデータ電極３２の電極引出部４４に出力端子５６を接続された駆動モジュール５０は、シャーシ８１を乗り越えて、入力端子５８がコネクタ９２に接続されている。このとき図７Ｂに示したように、駆動モジュール５０は、シャーシ８１と接触しないように所定の間隔をあけて実装されている。そのためＦＰＣ５２の通風孔５４を介して、点線Ｂで示した気流の流れが生じ、駆動モジュール５０の封止樹脂６２側からもＩＣチップが冷却される。また駆動モジュール５０の封止樹脂６２とシャーシ８１とが接触しないので、封止樹脂６２が割れるおそれもない。
【００３２】
さらに駆動モジュール５０をシャーシ８１に固定しなくてもよいので、プラズマディスプレイ装置８０の組立て工数も削減できる。
【００３３】
このように画像表示装置８０は、画像表示パネル１０と、駆動モジュール５０と、駆動モジュール５０に信号および電力を供給する回路基板９０と、画像表示パネル１０および回路基板９０を保持するシャーシ８１とを備え、駆動モジュール５０を画像表示パネル１０のデータ電極３２と回路基板９０とに接続するとともに、シャーシ８１との間に所定の間隔をあけて実装している。
【００３４】
なお、本実施の形態においては、データ電極用の電極引出部４４は背面基板３１の長辺下側に形成されており、駆動モジュール５０もパネル１０の下側に接続されているものとして説明したが、データ電極用の電極引出部４４がパネル１０の長辺上側に形成されている場合には、駆動モジュール５０もパネル１０の上側に接続し、長辺上側および下側に形成されている場合には、駆動モジュール５０もパネル１０の上側および下側に接続すればよい。
【００３５】
また、実施の形態において示した具体的な数値等は単に一例を示したに過ぎず、本発明はこれらの数値に何ら限定されるものではない。これらの数値等は、使用する画像表示デバイスの特性や画像表示装置の仕様等にあわせて最適に設定することが望ましい。
【産業上の利用可能性】
【００３６】
本発明は、熱抵抗が小さく、かつ組立て工数が少ない駆動モジュールを提供することができ、画像表示装置として有用である。
【符号の説明】
【００３７】
１０    パネル
２１    前面基板
２２    走査電極
２３    維持電極
３１    背面基板
３２    データ電極
４２    （維持電極用の）電極引出部
４３    （走査電極用の）電極引出部
４４    （データ電極用の）電極引出部
５０    駆動モジュール
５２    （データ電極用の）ＦＰＣ
５３    ＦＰＣの開口部
５４    通風孔
５６    出力端子
５８    入力端子
６０    ＩＣチップ
６２    封止樹脂
６４    放熱層
８０    プラズマディスプレイ装置
８１    シャーシ
８２    熱伝導シート
８３    回路基板群
８４    前面枠
８５    バックカバー
９０    回路基板
９２    コネクタ
【図１】
2013088445.tif 000003
【図２】
2013088445.tif 000004
【図３Ａ】
2013088445.tif 000005
【図３Ｂ】
2013088445.tif 000006
【図４Ａ】
2013088445.tif 000007
【図４Ｂ】
2013088445.tif 000008
【図５Ａ】
2013088445.tif 000009
【図５Ｂ】
2013088445.tif 000010
【図５Ｃ】
2013088445.tif 000011
【図５Ｄ】
2013088445.tif 000012
【図６】
2013088445.tif 000013
【図７Ａ】
2013088445.tif 000014
【図７Ｂ】
2013088445.tif 000015